(57)【要約】【課題】水平パンタグラフ機構を有する伸縮門扉において、上リンク部材および下リンク部材の側端軸への連結部分が突出することがないようにする。【解決手段】中間アーム部６１は円筒状の中間カバー６１１が設けられている。中間カバー６１１には中間連結部材６１２が圧入固定されている。上アーム部６２も上カバー６２１、上連結部材６２２が設けられ、下アーム部６３も下カバー６３１および下連結部材６３２が設けられている。中間連結部材６１２、上連結部材６２２および下連結部材６３２には、側端軸６５が回動自在に挿通されている。側端軸６５の上カバー６２１と中間カバー６１１の間には上リンク部材２０が回転自在に外嵌され、下カバー６３１と中間カバー６１１の間には下リンク部材３０が回転自在に外嵌されている。上リンク部材２０および下リンク部材３０の連結部分は、中間カバー６１１の外径と同一に形成されている。【選択図】        図３
2004263375.tif 000002
【特許請求の範囲】
【請求項１】
交差状に配置された上リンク部材および下リンク部材と、この上リンク部材および下リンク部材の中央において回転自在に連結された中央軸と、上リンク部材および下リンク部材の側端において回転自在に連結されたアームとを有する水平パンタグラフ機構を利用した伸縮門扉であって、前記アームが、円筒状のカバーと、このカバーの中に設けられた側端軸とを有し、前記上リンク部材および下リンク部材が側端軸に回転自在に外嵌されるとともに、上リンク部材および下リンク部材の側端軸への外嵌部分がカバーの外径と同一に形成され、上リンク部材および下リンク部材がカバーと連続した外面を形成することを特徴とする伸縮門扉。
【請求項２】
カバーが外径を同一にした丸パイプ形状の中間カバー、上カバー、下カバーとから形成され、中間カバーと上カバーの間において上リンク部材が、中間カバーと下カバーの間において下リンク部材が側端軸に外嵌したことを特徴とする請求項１に記載の伸縮門扉。
【請求項３】
前記側端軸が、カバーに圧入固定された連結部材により取り付けられている請求項１または２記載の伸縮門扉。
【発明の詳細な説明】
【０００１】
【発明の属する技術分野】
本発明は、水平パンタグラフ機構により伸縮自在とした伸縮門扉に関し、さらに詳しくは、上リンク部材および下リンク部材と側端軸との連結構造に関するものである。
【０００２】
【従来の技術】
従来、伸縮自在な伸縮門扉には、水平パンタグラフ機構を用いて伸縮自在としたものがある。この水平パンタグラフ機構を用いた伸縮門扉は、複数の上リンク部材と下リンク部材とを交差状に配置し、この上リンク部材及び下リンク部材の中央部に穿設した貫通孔に中央軸を回転自在に挿通し、また、側端部に穿設した貫通孔に側端軸を挿通したものであり、上リンク部材および下リンク部材が中心軸を中心として回転するとともに、側端軸に対しても回転し、全体として伸縮するものである（例えば、特許文献１参照）。
【０００３】
【特許文献１】
実開昭５４−２３０９５号
【発明が解決しようとする課題】
しかしながら、上述した従来の水平パンタグラフ機構を有する伸縮門扉は、上リンク部材および下リンク部材が側端軸に外嵌することにより連結しているものであるので、上リンク部材および下リンク部材が側端軸より突出しているものであった。したがって、一体的な形状が得られず、また、一見して部材を組み合わせて製造したものと見られるので、外観が好ましいものでなかった。
【０００４】
本発明は、以上の問題点を解決し、上リンク部材および下リンク部材と側端軸との連結部分が露出することなく一体的な形状に形成することができ、好ましい外観を得られる伸縮門扉を提供することを目的とする。
【０００５】
【課題を解決するための手段】
本発明による伸縮門扉は、交差状に配置された上リンク部材および下リンク部材と、この上リンク部材および下リンク部材の中央において回転自在に連結された中央軸と、上リンク部材および下リンク部材の側端において回転自在に連結されたアームとを有する水平パンタグラフ機構を利用した伸縮門扉であって、前記アームが、円筒状のカバーと、このカバーの中に設けられた側端軸とを有し、前記上リンク部材および下リンク部材が側端軸に回転自在に外嵌されるとともに、上リンク部材および下リンク部材の側端軸への外嵌部分がカバーの外径と同一に形成され、上リンク部材および下リンク部材がカバーと連続した外面を形成することを特徴として構成されている。
【０００６】
本発明による伸縮門扉においては、上リンク部材および下リンク部材が、カバー内に設けられている側端軸に回転自在に外嵌し、この側端軸を中心として回転するので、側端軸との連結部分が外部に露出していない。したがって、連結部分が雨水で濡れたり、埃等付着したりすることを防止している。また、上リンク部材および下リンク部材の外嵌部分がカバーの外径と同一に形成してあるので、カバーから突出することなく連続した一体的な外面となり、アームの外観が向上している。
【０００７】
【発明の実施の形態】
本発明による伸縮門扉は、上リンク部材および下リンク部材の側端においてアームが回転自在に連結されている。このアームは、例えば、中間アーム部、上アーム部、下アーム部とから形成され、夫々のアーム部における中間カバー、上カバー、下カバーが外径を同一にした丸パイプ形状を呈し、中間カバーと上カバーの間において上リンク部材が、中間カバーと下カバーの間において下リンク部材が側端軸に外嵌するようにできる。
【０００８】
側端軸をカバーヘ設けるには、特に限定されないが、カバーに圧入固定された連結部材により取り付けることができる。このような連結部材を用いることにより、簡単に側端軸をカバーへ取り付けることができる。
【０００９】
本発明による伸縮門扉の一実施形態を図面を参照して説明する。
【００１０】
図１は本発明に伸縮門扉の全体構成を示す平面図、図２は本発明による伸縮門扉の全体構成を示す正面図、図３は本発明による伸縮門扉の要部の断面図である。
【００１１】
図１及び図２において、１は伸縮門扉、２は路面に固定された吊元支柱、３は吊元支柱と所定間隔を隔てて路面に固定された戸当り支柱である。そして、伸縮門扉１は水平方向に回動し得るように吊元支柱２に取り付けられ、戸当り支柱３まで伸張できるようになっている。
【００１２】
伸縮門扉１は、伸縮自在な扉体１０と、この扉体１０の両側端に設けられた固定柱１１及び移動柱１２とで構成されており、この固定柱１１が吊元支柱２に回動自在に取り付けられている。また、固定柱１１、移動柱１２及び扉体１０の略中央部分に車輪１４が設けられており、扉体１０が、伸縮自在に走行出来るようになっており、また、図１中２点鎖線で示すように、縮小した伸縮門扉１０が、吊元支柱２を中心として略１８０度回動できるようになっている。
【００１３】
扉体１０は、垂直方向に所定間隔を隔てて水平方向に設けられた複数の上リンク部材２０及び下リンク部材３０を有し、この上リンク部材２０及び下リンク部材３０とは、交差状に配置されて水平パンタグラフ機構のリンク部材を構成している。すなわち、上リンク部材２０と下リンク部材３０とは、水平方向において相反する方向に同一角度で斜めに配置されているもので、上リンク部材２０は、戸当り支柱３方向（図１において右方向、以下同様）に向かって手前側（図１において下側、以下同様）方向へ斜に配置されており、また、下リンク部材３０は、戸当り支柱３方向に向かって奥側（図１において上側、以下同様）方向へ斜めに配置されており、これらの戸当り支柱３方向に対する角度が同一になっている。
【００１４】
上リンク部材２０及び下リンク部材３０の中央部には中央軸５０が游嵌されており、上リンク部材２０及び下リンク部材３０が中央軸５０を中心に回動できるようになっている。また、上リンク部材２０及び下リンク部材３０の両側端部には、アーム６０、７０が回動自在に連結されている。このアーム６０は、一端が移動柱１２の上端に固定されるとともに、他端が固定柱１１の下端に固定されているもので、これら移動柱１２と固定柱１１との間を螺旋状になるように連続して構成されている。また、アーム７０も同様に、一端が移動柱１２の下端に固定されるとともに、他端が固定柱１１の上端に固定されているもので、これら移動柱１２と固定柱１１との間を螺旋状になるように連続して構成されている。
【００１５】
そして、一つの上リンク部材２０、下リンク部材３０の両端においては、一端にアーム６０が、他端にアーム７０が連結されている。また、前記中央軸５０の上下端部がアーム６０及びアーム７０に回動自在に連結されている。すなわち、一つの中央軸５０の上部にアーム６０が連結され、下部にアーム７０が連結されており、この中央軸５０に隣り合う中央軸５０の上部にはアーム７０が連結され、下部にはアーム６０が連結されている。
【００１６】
したがって、水平パンタグラフ機構の最小単位である平行四辺形を、アーム６０、上リンク部材２０、中央軸５０、下リンク部材３０、アーム７０、上リンク部材２０、中央軸５０及び下リンク部材３０で構成しており、上リンク部材２０及び下リンク部材３０は、中央軸５０及びアーム６０、７０と回動自在に連結されているので、中央軸５０間の間隔及びアーム６０とアーム７０との間隔を自由に伸縮できるものである。
【００１７】
アーム６０は、垂直方向に配置された中間アーム部６１と、この中間アーム部６１の上端に設けられた上アーム部６２と、下端に設けられて下アーム部６３とからなっている。
【００１８】
中間アーム部６１は、図３に示すように、円筒状の中間カバー６１１が設けられ、この中間カバー６１１の上部および下部には、合成樹脂からなる中間連結部材６１２が圧入固定されている。この中間連結部材６１２は、中央軸方向に貫通孔が穿設され、また、開口側の端部には、突出部６１３が中間カバー６１１の外径と同一の外径に形成されている。
【００１９】
また、上アーム部６２も円筒状の上カバー６２１が設けられ、この上カバー６２１に、中間カバー６１１と同様に、合成樹脂からなる上連結部材６２２が圧入固定されており、下アーム部６３も同様に、下カバー６３１および下連結部材６３２が設けられている。そして、これらの上連結部材６２２および下連結部材６３２は、ネジ６４により上カバー６２１および下カバー６３２に固着されている。また、上カバー６２１と下カバー６３１の開口側の端部には、上カバー６２１、下カバー６３１の外径と同一の外径に形成した突出部６２３，６３３が形成されている。中間カバー６１１、上カバー６２１、下カバー６３１は同一の外径を有する丸パイプ状に形成されており、アーム６０、７０は一連の丸パイプ形状を呈している。
【００２０】
前記上下の中間連結部材６１２、上連結部材６２２および下連結部材６３２の貫通孔には、側端軸６５が回動自在に挿通されており、この側端軸６５は、上下端に座金６６を介して螺着したボルト６７により抜け出るのを防止している。
【００２１】
側端軸６５の上カバー６２１と中間カバー６１１の間には上リンク部材２０が回転自在に外嵌されており、また、下カバー６３１と中間カバー６１１の間には下リンク部材３０が回転自在に外嵌されている。そして、この上リンク部材２０および下リンク部材３０の外嵌部分は、中間カバー６１１、上カバー６２１、下カバー６３１の外径と同一に形成されている。すなわち、上リンク部材２０および下リンク部材３０の幅が、中間カバー６１１、上カバー６２１、下カバー６３１の外径と同一になるように形成されるとともに、端部が中間カバー６１１の外径と同一径の半円状に形成されているので、上リンク部材２０および下リンク部材３０が中間カバー６１１、上カバー６２１、下カバー６３１から突出せず、平坦な一体的な面となっている。なお、アーム７０においても、上述したアーム６０と同様に構成されている。
【００２２】
次に、上述したような中間アーム部６１を組み立てる手順について説明する。まず、中間カバー６１１の上下端部に中間連結部材６１２を圧入し、この中間連結部材６１２の貫通孔に側端軸６５を挿通する。そして、側端軸６５の上下の突出部分に上リンク部材２０および下リンク部材３０を外嵌し、その外側に上連結部材６２２と下連結部材６３２とを外嵌する。さらに、側端軸６５の上下端において、座金６６を介してボルト６７を螺着し、側端軸６５の抜け止めをする。最後に上連結部材６２２および下連結部材６３２に上カバー６２１および下カバー６３１を被せ、ネジ６４により抜け止めをする。
【００２３】
以上のような伸縮門扉においては、移動柱１２を持って伸縮門扉１を開閉操作すると、上リンク部材２０および下リンク部材３０は、中間軸５０中心として回転し、伸長又は収縮する。この時、上リンク部材２０および下リンク部材３０の側端軸６５への連結部分は、中間カバー６１１、上カバー６２１および下カバー６３１内に隠れており露出していない。
【００２４】
【発明の効果】
本発明は以上のように構成したので、上リンク部材および下リンク部材の側端軸への連結部分が突出することがなく、側端軸を収納するカバーと一体的に形成されるので、好ましい外観を得ることができ、また、連結部分への雨水、埃等による弊害を防止することが出来る。
【図面の簡単な説明】
【図１】本発明による伸縮門扉の一実施形態の全体構成を示す平面図である。
【図２】本発明による伸縮門扉の一実施形態の全体構成を示す正面図である。
【図３】本発明による伸縮門扉の一実施形態の要部を示す断面図である。
１…伸縮門扉
１０…扉体
２０…上リンク部材
３０…下リンク部材
５０…中央軸
６０…アーム
６１…中間アーム部
６１１…中間カバー
６１２…中間連結部材
６２…上アーム部
６２１…上カバー
６２２…上連結部材
６３…下アーム部
６３１…下カバー
６３２…下連結部材
７０…アーム
【図１】
2004263375.tif 000003
【図２】
2004263375.tif 000004
【図３】
2004263375.tif 000005